(57)【要約】      （修正有）【課題】再生可能エネルギー源である太陽または風力発電は、屋内環境では実施することが不可能であり、気象条件および地理的状況によって影響される。これを克服した再生可能エネルギーの形で電力を生成する液体位置エネルギー増加装置を提供する。【解決手段】液体位置エネルギー増加装置は、第１の受入トラフ１００と、第２の受入トラフ２００と、液体吸収構造体４００と、第１の磁気部材５００と、第２の磁気部材６００とを含む。前記液体吸収構造体は、本体部４１０と延在部４２０とを有する。前記延在部は、前記第１の受入トラフ内の液体を前記本体部内に供給する。前記本体部の重量と前記本体部内の液体の重量との合計が磁気吸引力よりも大きい時、前記本体部が重力によって前記第２の受入トラフに衝突するため、前記本体部内の液体の少なくとも一部が前記第２の受入トラフに放出されて、液体の位置エネルギーを増加させる。【選択図】図１
2019203495.tif 000002
【特許請求の範囲】
【請求項１】
少なくとも１つの位置エネルギー増加ユニットを有する液体位置エネルギー増加装置であって、
前記少なくとも１つの位置エネルギー増加ユニットは、
液体を受け入れるように構成されている第１の受入トラフと、
前記第１の受入トラフの上方に配置されている、第２の受入トラフと、
液体吸収構造であって、本体部と延在部とを含み、前記本体部は前記第２の受入トラフ内に位置し、前記延在部が前記本体部に接続されて前記第１の受入トラフまで延びる液体吸収構造体と、
前記第２の受入トラフと前記本体部の上にそれぞれ配置される第１の磁性部材及び第２の磁性部材であって、前記本体部は、前記第１の磁気部材と第２の磁気部材の間の磁気吸引力によって前記第２の受入トラフ上の第１位置に配置され、前記延在部は、前記第１の受入トラフ内の液体を前記本体部に供給するように構成されている、第１の磁性部材及び第２の磁性部材と、を有し、
前記本体部の重量と本体部内に供給された液体の重量の合計が前記磁気吸引力よりも大きい時に、前記本体部は重力によって前記第２の受入トラフ上の前記第１位置から第２位置へ移動して前記第２の受入トラフに衝突し、これにより、前記本体部内の液体の少なくとも一部が前記第２の受入トラフ内に放出されるものである、液体位置エネルギー増加装置。
【請求項２】
請求項１に記載の液体位置エネルギー増加装置において、前記本体部内の液体の少なくとも一部が前記第２の受入トラフ内に放出され、そのため前記本体部の重量と前記本体部内の液体の重量との合計が前記磁気吸引力より小さくなる時、前記本体部は前記磁気吸引力によって前記第１の位置に戻るものである、液体位置エネルギー増加装置。
【請求項３】
請求項１に記載の液体位置エネルギー増加装置において、前記少なくとも１つの位置エネルギー増加ユニットの数は複数であり、前記位置エネルギー増加ユニットのうち少なくとも１つの前記第２の受入トラフと前記位置エネルギー増加ユニットのうち他の１つの前記第１の受入トラフは、同じ高さに互いに連通して配置されるものである、液体位置エネルギー増加装置。
【請求項４】
請求項３に記載の液体位置エネルギー増加装置は、
支持構造をさらに有し、前記支持構造と前記位置エネルギー増加ユニットのうちの１つの前記第１の受入トラフとが同じ高さに配置され、前記位置エネルギー増加ユニットのうちの他の１つの前記第１の受入トラフは前記支持構造体上に支持され、前記少なくとも１つの位置エネルギー増加ユニットの延在部および前記他の１つの位置エネルギー増加ユニットの延在部は、前記液体位置エネルギー増加装置の対向する側にそれぞれ配置されるものである、液体位置エネルギー増加装置。
【請求項５】
請求項１に記載の液体位置エネルギー増加装置において、
前記少なくとも１つの位置エネルギー増加ユニットは複数であり、前記複数の位置エネルギー増加ユニットは水平方向に互いに接続され、前記複数の位置エネルギー増加ユニットのそれぞれの第１の受入トラフともう１つの前記複数の位置エネルギー増加ユニットのうちの他の１つの第１の受入トラフは同じ高さで互いに連通して配置され、前記複数の位置エネルギー増加ユニットのぞれぞれの前記第２の受入トラフと前記複数の位置エネルギー増加ユニットのうちの他の１つの第２の受入トラフとは、同じ高さで互いに連通して配置されているものである、液体位置エネルギー増加装置。
【請求項６】
請求項１に記載の液体位置エネルギー増加装置において、前記第２の受入トラフは、トラフ本体とラック本体とを有し、前記トラフ本体は液体を受け入れるように構成され、前記ラック本体は前記トラフ本体上に配置され、上壁を有し、前記第１の磁気部材は前記上壁上に配置されるものである、液体位置エネルギー増加装置。
【請求項７】
請求項１に記載の液体位置エネルギー増加装置において、前記本体部は、吸液部材と、プレートと、フレームとを有し、前記延在部は、前記吸液部材に接続されており、前記吸液部材の周囲は、前記プレートとフレームの間に挟持され、前記吸液部材は前記フレームから突出し、前記第２の磁性部材は前記プレート上に配置されるものである、液体位置エネルギー増加装置。
【請求項８】
請求項１に記載の液体位置エネルギー増加装置において、前記第２の受入トラフは、トラフ本体とインパクトプレートを有し、前記インパクトプレートは前記トラフ本体内に配置され、前記第２の位置に位置し、前記本体部は前記インパクトプレートに衝突するように構成され、前記インパクトプレート上の液体は前記トラフ本体に放出されるように構成されるものである、液体位置エネルギー増加装置。
【発明の詳細な説明】
【技術分野】
【０００１】
本願は液体エネルギー増加装置に関し、より詳細には、液体の位置エネルギーを増加可能な装置に関する。
【背景技術】
【０００２】
従来のエネルギー生成方法は、環境コストの甚だしい消費を伴う。主要なエネルギー生成方法は石炭燃焼であるが、そのようなエネルギー生成方法はしばしば深刻な大気汚染につながる。核汚染や大量の核廃棄物、さらには放射能漏れによる公衆の安全危機さえも引き起こす原子力等の他の方法により、エネルギーが生成される。したがって、再生可能エネルギー源による発電は必然的な傾向である。自然に依存する太陽または風力発電の場合、太陽からの放射光のエネルギーの捕捉または風波のエネルギーの捕捉によって電力を生成するため、屋内環境では実施することが不可能であり、気象条件および地理的状況によって影響される。
【発明の概要】
【課題を解決するための手段】
【０００３】
本発明は、再生可能エネルギーの形で電力を生成する液体位置エネルギー増加装置を提供するものである。
【０００４】
本発明の一実施形態では、液体位置エネルギー増加装置は、少なくとも１つの位置エネルギー増加ユニットを含み、前記少なくとも１つの位置エネルギー増加ユニットは、第１の受入トラフ、第２の受入トラフ、液体吸収構造体、第１の磁性部材および第２の磁性部材を含む。前記第１の受入トラフは液体を受け入れることができる。前記第２の受入トラフは、前記第１の受入トラフの上方に配置される。前記液体吸収構造体は、本体部と延在部とを有する。前記本体部は前記第２の受入トラフ内に配置され、前記延在部は前記本体部に接続され、且つ前記第１の受入トラフまで延びる。前記第１の磁性部材および前記第２の磁性部材は、それぞれ前記第２の受入トラフおよび前記本体部上に配置される。前記本体部分は、前記第１の磁性部材と第２の磁性部材の間の磁気引力によって前記第２の受入トラフ上の第１の位置に配置される。前記延在部は、前記第１の受入トラフ内の液体を前記本体部内に搬送するように構成される。前記本体部の重量と前記本体部に搬送された液体の重量の合計が磁気吸引力よりも大きいとき、前記本体部は重力により前記第２の受入トラフ上で前記第１の位置から第２の位置へ移動し、前記第２の受入トラフに衝突し、これにより、前記本体部内の液体の少なくとも一部が前記第２の受入トラフ内に放出される。
【０００５】
本発明の一実施形態では、前記本体部内の液体の少なくとも一部が前記第２の受入トラフ内に放出され、それによって前記本体部内の重量と前記本体部内の液体の重量の合計が磁気吸引力よりも小さくなると、前記本体部は磁気吸引力によって前記第１の位置に戻る。
【０００６】
本発明の一実施形態では、前記液体位置エネルギー増加装置の前記少なくとも１つの位置エネルギー増加ユニットの数は、複数である。前記位置エネルギー増加ユニットのうちの少なくとも１つの前記第２の受入トラフと前記位置エネルギー増加ユニットのうちの他の１つの前記第１の受入トラフは、同じ高さに互いに連通して配置される。
【０００７】
本発明の一実施形態では、前記液体位置エネルギー増加装置は支持構造を含む。前記位置エネルギー増加ユニットのうちの１つの支持構造と前記第１の受入トラフは同じ高さに配置され、前記位置エネルギー増加ユニットのうちの他の１つの前記第１の受入トラフは前記支持構造上に支持される。
【０００８】
本発明の一実施形態では、前記少なくとも１つの位置エネルギー増加ユニットの延在部および前記位置エネルギー増加ユニットのうちの他の１つの延在部は、それぞれ前記液体位置エネルギー増加装置の対向する側に配置される。
【０００９】
本発明の一実施形態では、前記液体位置エネルギー増加装置の前記少なくとも１つの位置エネルギー増加ユニットの数は複数である。前記位置エネルギー増加ユニットは、水平方向に互いに接続されている。前記位置エネルギー増加ユニットのそれぞれの第１の受入トラフと前記位置エネルギー増加ユニットのうちの他の１つの第１の受入トラフとは、同じ高さで互いに連通して配置される。前記位置エネルギー増加ユニットのそれぞれの第２の受入トラフと前記位置エネルギー増加ユニットのうちの他の１つの第２の受入トラフとは、同じ高さに互いに連通して配置される。
【００１０】
本発明の一実施の形態では、前記液体位置エネルギー増加装置の第２の受入トラフはトラフ本体とラック本体とを含む。前記トラフ本体は液体を受け入れ可能である。前記ラック本体は、前記トラフ本体上に配置され、上壁を有し、前記第１の磁性部材は、前記上壁の上に配置される。
【００１１】
本発明の一実施形態では、前記液体位置エネルギー増加装置の本体部は、吸液部材、プレート、およびフレームを含む。前記延在部は前記吸液部材に接続されている。前記吸液部材の周囲は、前記プレートと前記フレームの間に挟持される。前記吸液部材は前記フレームから突出し、前記第２の磁性部材は前記プレート上に配置される。
【００１２】
本発明の一実施の形態では、前記液体位置エネルギー増加装置の延在部の部分セグメントが前記プレートと前記吸液部材との間に挟持される。
【００１３】
本発明の一実施形態では、前記液体位置エネルギー増加装置の前記延在部および前記吸液部材はスポンジである。
【００１４】
本発明の一実施形態では、前記液体位置エネルギー増加装置の前記延在部と前記吸液部材とは一体的に形成される。
【００１５】
本発明の一実施の形態では、前記液体位置エネルギー増加装置の前記第１の磁性部材および前記第２の磁性部材は磁石である。
【００１６】
本発明の一実施の形態では、前記液体位置エネルギー増加装置の前記第２の受入トラフは、トラフ本体とインパクトプレートとを含む。前記インパクトプレートは前記トラフ本体の内側に配置されて前記第２の位置に配置され、前記本体部分は前記インパクトプレートに衝突するようになっており、前記インパクトプレート上の液体は前記トラフ本体内に放出されるようになっている。
【００１７】
本発明の一実施形態では、前記液体位置エネルギー増加装置のインパクトプレートは、少なくとも１つの開口部を有し、前記インパクトプレート上の液体は前記開口部を通ってトラフ本体内に放出されるようになっている。
【００１８】
本発明の一実施形態では、前記液体位置エネルギー増加装置の前記本体部分と前記インパクトプレートのうちの一方は、少なくとも１つの窪み部を有する。前記本体部とインパクトプレートの他方は、少なくとも一つの突出部を有する。前記窪み部と突出部とは衝突するようになっている。
【００１９】
本発明の一実施形態では、前記液体位置エネルギー増加装置のインパクトプレートは複数のキャピラリーを含む。
【００２０】
本発明の一実施形態では、前記液体位置エネルギー増加装置はフロートを含む。前記フロートは、前記第１の受入トラフの内側に配置され、部分的に前記第１の受入トラフの外側に延びる。
【００２１】
本発明の一実施の形態では、前記液位エネルギー増加装置の第１の受入トラフはトラフ本体を含む。前記トラフ本体は液体を受け入れるようになっている。前記液体吸収構造の延在部は前記トラフ本体の第１の領域に配置され、前記第１の受入トラフは前記トラフ本体の第２の領域に配置された少なくとも１つの突出部を有する。
【００２２】
要約すると、本発明の実施形態によって提供される液体位置エネルギー増加装置では、前記第１の受入トラフ内に位置する液体は、前記吸液部材の延在部を通って前記第２の受入トラフ内の本体部へと上方に供給される。このようにして、前記本体部が液体を吸収した後、前記本体部は磁性部材の磁気吸引力に抗して重力で移動するのに十分なほど重くなり前記第２の受入トラフに衝突し、これにより前記本体部内の液体の一部が前記２の受入トラフに放出される。次に、前記本体部はこれから液体が放出されることにより軽量になるので、前記本体部は磁性部材の磁気吸引力によって戻される。上述したように、外部資源から提供される力やエネルギーを使用せずに、前記液体吸収構造体の毛細管現象、前記磁気部材による磁力及び前記本体部の重さと本体部内の液体自体の重さによって生じる重力によって、前記第１の受入トラフ内の液体を相対的に高い位置に位置する第２の受入トラフに連続的に供給することができ、これにより、位置エネルギーを大きくすることができる。さらに、前記液体位置エネルギー増加装置は、上述のように外部から加える力またはエネルギー源を使用することなく位置エネルギーの増加を達成することができる。したがって、太陽または風などのエネルギー源を使用し、屋外で実施する必要がある再生可能エネルギー装置とは異なり、本発明の実施形態によって提供される液体位置エネルギー増加装置は屋内環境で実施することができ、天候および地理的条件に影響されない。
【００２３】
上記の特徴をより分かりやすくするために、図面と一緒にいくつかの実施形態を以下に詳細に説明する。
【図面の簡単な説明】
【００２４】
添付の図面は、本開示のさらなる理解のために提供されるものであり、本明細書に組み込まれてその一部を構成している。図面は、本開示の例示的な実施形態を示しており、その説明と共に、本開示の原理を説明するのに役立つ。
【図１】図１は、本発明の一実施形態による液体位置エネルギー増加装置の斜視図である。
【図２】図２は、図１に示す液体位置エネルギー増加装置の分解図である。
【図３Ａ】図３Ａは、図１に示す液体位置エネルギー増加装置の動作の模式図である。
【図３Ｂ】図３Ｂは、図１に示す液体位置エネルギー増加装置の動作の模式図である。
【図４】図４は、図１に示す液体吸収構造体の分解図である。
【図５】図５は、図１に示す第２の受入トラフのトラフ本体の斜視図である。
【図６】図６は、図１に示すインパクトプレートの斜視図である。
【図７】図７は、本発明の他の実施形態による第１の受入トラフの斜視図である。
【図８】図８は、本発明の他の実施形態に係る吸液部材およびインパクトプレートの斜視図である。
【図９】図９は、図８に示すインパクトプレートの底面図である。
【図１０】図１０は、本発明の他の実施形態に係る吸液部材およびインパクトプレートの斜視図である。
【図１１】図１１は、本発明の他の実施形態に係るインパクトプレートの斜視図である。
【図１２】図１２は、本発明の他の実施形態による液体位置エネルギー増加装置の斜視図である。
【図１３】図１３は、本発明の他の実施形態による液体位置エネルギー増加装置の斜視図である。
【図１４】図１４は、図１２に示すガイド板の斜視図である。
【発明を実施するための形態】
【００２５】
図１は、本発明の一実施形態による液体位置エネルギー増加装置の斜視図である。図２は、図１に示す液体位置エネルギー増加装置の分解図である。図１と図２を参照すると、本実施形態の液体位置エネルギー増加装置１は、少なくとも１つの位置エネルギー増加ユニット１０を含む。前記少なくとも１つの液体位置エネルギー増加ユニット１０は、第１の受入トラフ１００、第２の受入トラフ２００、液体吸収構造体４００、第１の磁性部材５００、及び第２の磁性部材６００を含む。前記第１の収入トラフ１００は、液体（例えば、水）を受け入れることができる。前記第１の受入トラフ１００は、内部に排水孔１４０を有し、前記排水孔１４０の上部は、前記第１の受入トラフ１００から余分な液体を排出するために一定の高さを有する。前記第２の受入トラフ２００は、前記第１の受入トラフ１００の上方に配置される。
【００２６】
前記液体吸収構造体４００は、本体部４１０と延在部４２０とを含む。前記本体部４１０は、前記第２の受入トラフ２００内に配置されており、前記延在部４２０は、前記本体部４１０に接続され、前記第１の受入トラフ１００まで延びている。前記第１の磁性部材５００および第２の磁性部材６００は、それぞれ前記第２の受入トラフ２００および前記本体部４１０の上に配置されている。前記本体部４１０は、前記第１の磁性部材５００と第２の磁性部材６００との間の磁気引力によって、前記第２の受入トラフ２００上の第１の位置に位置づけられる。
【００２７】
図３Ａ及び図３Ａは、図１に示す液体位置エネルギー増加装置の動作を説明するための模式図である。本実施形態の延在部４２０は、第１の受入トラフ１００内の液体を本体部４１０内に供給するように構成される。前記本体部４１０の重量と本体部に供給された液体の重量の合計が磁気吸引力よりも大きいと、磁気吸引力は、本体部４１０を第１の位置に位置づけることができなくなる。したがって、本体部４１０は、図１と図３Ａに示す第１位置か、図３Ｂに示されているように、第２の受入トラフ２００上の第２の位置に移動し、前記第２の受入トラフ２００に衝突するので、これにより、前記本体部４１０内の液体の少なくとも一部が前記第２の受入トラフ２００内に放出される。これにより、本体部４１０は、液体の一部が放出されたことにより重量が軽くなったので、磁性引力により前記第１の位置に戻る。本実施形態では、前記本体部４１０は、図１及び図３Ａに示す第１位置から、図３Ｂに示された第２の受入トラフ２００上の第２位置へ重力により降下するが、本発明はこれに限定されるものではない。他の実施形態では、本体部４１０は、重力によって振り子式に第２の受入トラフ２００に衝突するようにしてもよく、または重力による他の適切な動きを使って第２の受容トラフ２００に衝突するようにしてもよい。
【００２８】
上述したように、外部から適用される力またはエネルギー源を使用せずに、液体吸収構造体４００の毛細管現象、磁性部材の磁力と、本体部４１０の重量と本体部４１０内の液体自体の重量とによる重力とによって、第１の受入トラフ１００内の液体を比較的高い位置にある第２の受入２００に連続的に供給することができ、これにより位置エネルギーを増加させることができる。さらに、液体位置エネルギー増加装置１は、上述したように外部から加えられる力またはエネルギー源を使用することなく位置エネルギーの増加を達成することができる。したがって、太陽や風などのエネルギー源を使用し、屋外で実施する必要がある再生可能エネルギー装置とは異なり、本実施形態の液体位置エネルギー増加装置１は屋内環境で実施することができ、天候および地理的条件による悪影響を受けない。
【００２９】
本実施形態では、第１位置（図１および図３Ａに示す）と第２位置（図３Ｂに示す）との間の距離が離れるほど、本体部４１０が第２の受入トラフ２００を打ち付ける力が強くなる。このように、より多くの液体が本体部４１０から第２の受入トラフ２００へ放出されるようになる。一方、第１の位置と第２の位置の間の距離が拡大するにつれて、第１の磁気部材５００と第２の磁気部材６００との間の磁気吸引力は減少する。したがって、第１の位置と第２の位置との間の距離は設計要件に従って適切に調整することができる。なお、上記移動中に本体部４１０が第１位置から第２位置に移動すると位置エネルギーが失われるが、第２位置は第１の受入トラフよりも依然として高いため、やがて液体位置エネルギーは増加する。
【００３０】
なお、本実施形態の液体位置エネルギー増加装置１は、上述したように、位置エネルギーを増加させる手段であり本発明に従って実施可能である、磁気吸引力、毛細管現象、及び重力により、液体の位置エネルギーの増加を達成可能である。
【００３１】
以下、本実施形態の液体吸収構造体４００の構成について詳細に説明する。図４は、図１に示す液体吸収構造体の分解図である。図１、図２、及び図４に示すように、液体吸収構造体４００は、本体部４１０と延在部４２０を含む。本体部４１０は、吸液部材４１１と、プレート４１２と、フレーム４１３を含む。延在部４２０は、前記吸液部材４１１に接続される。吸液部材４１１の周囲は、プレート４１２とフレーム４１３との間に挟持される。吸液部材４１１は、フレーム４１３から突出しており、第２の磁性部材６００は、プレート４１２上に配置されている。さらに、本実施形態の延在部４２０は、その一部がプレート４１２と吸液部材４１１との間に挟まれている。延在部４２０と吸液部材４１１とはスポンジであってもよく、一体成形された構造であってもよい。第１の磁性部品５００および第２の磁性部品６００は磁石であってよい。本実施形態の液体吸収構造体４００は、装置の裏側から交換することができる。したがって、メンテナンスが必要な場合には、液体吸収構造体４００のみを交換すればよく、交換やメンテナンス作業が容易になる。
【００３２】
本実施形態の第二の受入トラフ２００の構造について詳細に説明する。図５は、図１に示す第２の受入トラフのトラフ本体の斜視図である。図６は、図１に示すインパクトプレートの斜視図である。図２、図５、図６に示すように、本実施形態の第２の受入トラフ２００は、トラフ本体２１０と、ラック本体２２０と、インパクトプレート２３０とを含む。トラフ本体２１０は、液体を受け入れるようになっている。ラック本体２２０は、トラフ本体２１０の上に配置され、上壁２２１を有し、第１の磁性部品５００は、上壁２２１の上に配置されている。インパクトプレート２３０は、トラフ本体２１０の内側に配置され、第２の位置の位置する。インパクトプレート２３０は、少なくとも１つの開口部２３１と複数の位置決め孔２３４とを有する。本体部４１０がインパクトプレート２３０に衝突して、本体部４１０内の液体の一部がインパクトプレート２３０上に放出されると、インパクトプレート２３０上の液体は、開口部２３１を介してトラフ本体２１０内に放出されるようになっている。
【００３３】
さらに、トラフ本体２１０は、複数の係合部材２１３をさらに含み、この係合部材２１３はラック本体２２０と係合するように構成されている。第２の受入トラフ２００はさらに複数の位置決めポール２１４とバッフル２１５を含む。位置決めポール２１４は、インパクトプレート２３０の位置決め孔２３４に挿入可能で、これにより、インパクトプレート２３０は、位置決めポール２１４によって支持及び位置決めされる。インパクトプレート２３０は、バッフル２１５が配置されるように固定位置に配置できる。第１の受入トラフ１００および第２の受入トラフ２００は、係合部材を介してまたは他の適切な構造を介して係合することができる。本実施形態のインパクトプレート２３０は、装置の裏側から交換することができる。したがって、メンテナンスが必要な場合には、インパクトプレート２３０のみを交換すればよく、それにより便利な交換および保守作業が可能になる。
【００３４】
図７は、本発明の他の実施形態による第１の受入トラフの斜視図である。図７に示すように、本実施形態の第１の受入トラフ１００はフロート１３０を含む。フロート１３０は第１の受入トラフ１００の内側に配置され、部分的に第１の受入トラフ１００の外側に延びる。ユーザーは、誤動作に関する液体位置エネルギー増加装置１の異常状態を確認するために、フロート１３０の高さによって前記第１の受入トラフ１００の液体の量が正常であるかどうかを判断してもよい。さらに、第１の受入トラフ１００のトラフ本体１１０は液体を受け入れるようになっている。液体吸収構造体４００の延在部４２０はトラフ本体１１０の第１の領域１１１に配置され、第１の受入トラフ１００はトラフ本体１１０の第２の領域１１２に配置された少なくとも１つの突出部１２０を有する。突出部１２０の設定により、延在部４２０が位置する第１の領域１１１に液体を集中させ、これによりより少ない液量で液体位置エネルギー増加装置１を円滑に作動させることができ、その結果、省液効果を得ることができる。
【００３５】
図８は本発明の他の実施形態に係る吸液部材およびインパクトプレートの斜視図である。図９は、図８に示すインパクトプレートの底面図である。図８及び図９を参照すると、本実施形態と前述の実施形態との相違点は、本実施形態の吸液部材４１１’が複数の突起４１１ａを有し、インパクトプレート２３０’が複数の窪み部２３０ａを有することである。突出部４１１ａと窪み部２３０ａとを構成することにより、吸液部材４１１’とインパクトプレート２３０’が衝突可能な衝突面積を拡大し、これにより吸液部材４１１’が衝突した後に放出される液体量を増加させることができる。図９に示すように、インパクトプレート２３０の開口部２３１’は、窪み部２３０ａの構造設計に合うように窪み部２３０ａの構造に沿って設計してもよい。
【００３６】
図１０は、本発明の他の実施形態に係る吸液部材およびインパクトプレートの斜視図である。図１０を参照すると、本実施形態と上述した実施形態との相違点は、本実施形態における吸液部材４１１’’の突出部４１１ｂの数とインパクトプレート２３０’’の窪み部２３０ｂの数が図８に示すものより多いという点であり、これにより、吸液部材４１１’’とインパクトプレート２３０’’の衝突面積がさらに大きくなり、吸液部材４１１’’が衝突した後に放出される液体量が増加する。さらに、本実施形態のインパクトプレート２３０’’は、２つの構成要素２３０１および２３０２を含むが、本発明はこれに限定されるものではない。本実施形態では、本体部分４１０’’の材料、寸法、構造、形状（インパクトプレートと一致する）、および弾性率を調整し、同時にインパクトプレート２３０の前述のパラメータを修正して、衝突効果を改善することができる。
【００３７】
図１１は、本発明の他の実施形態に係るインパクトプレートの斜視図である。図１１を参照すると、本実施形態と前述の実施形態との相違点は、本実施形態のインパクトプレート２３０’’’を複数のキャピラリー２３２で構成することができ、それによってより良い排水効率を可能にすることである。
【００３８】
図１２は、本発明の他の実施形態による液体位置エネルギー増加装置の斜視図である。図１２を参照すると、本実施形態の液体位置エネルギー増加装置１’は、複数の位置エネルギー増加ユニット１０（３つのユニットとして図示）を有し、さらに支持構造体３００を含む。図１２の左下側に図示の位置エネルギー増加ユニット１０の支持構造３００と第１の受入トラフ１００は同じ高さに配置されている。図１２の右側に図示の位置エネルギー増加ユニット１０の第１の受入トラフ１００は、支持構造３００上に支持され、図１２の右側に図示の位置エネルギー増加ユニット１０の第１の受入トラフ１００と、図１２の左下側に図示の位置エネルギー増加ユニット１０の第２の受入トラフ２００は、同じ高さに互いに連通して配置されている。同様に、図１２の左上に図示の位置エネルギー増加ユニット１０の第１の受入トラフ１００および図１２の右側に図示の位置エネルギー増加ユニット１０の第２の受入トラフ２００は、同じ高さに互いに連通して配置されている。このようにして、位置エネルギー増加ユニット１０は、高さ方向に交互に積層される。そのために、液体はより高い位置に供給され、それによってより大きな位置エネルギーを得ることができる。他の実施形態では、他の適切な数の位置エネルギー増加ユニット１０が適用されてもよく、それに限定されるものでもない。
【００３９】
本実施形態では、図１２の左下側に図示の位置エネルギー増加ユニット１０の延在部４２０と図１２の右側に図示の位置エネルギー増加ユニット１０の延在部４２０はそれぞれ、液体位置エネルギー増加装置１’の対向する側に配置されている。同様に、図１２の左上に図示の位置エネルギー増加ユニット１０の延在部４２０と図１２の右側に図示の位置エネルギー増加ユニット１０の延在部４２０とはそれぞれ液体位置エネルギー増加装置１’の対向する側に配置されている。
【００４０】
図１３は、本発明の他の実施形態による液体位置エネルギー増加装置の斜視図である。図１３に示すように、本実施形態の液位エネルギー増加装置１’’の位置エネルギー増加ユニット１０は、さらに水平方向に別のものに接続されている。具体的には、各位置エネルギー増加ユニット１０の第１の受入トラフ１００と他の１つの位置エネルギー増加ユニット１０の第１の受入トラフ１００は同じ高さに配置され、互いに連通している。各位置エネルギー増加ユニット１０の第２の受入トラフ２００と位置エネルギー増加ユニット１０の他の１つの第２の受入トラフ２００は同じ高さに位置し、互いに連通している。複数の位置エネルギー増加ユニット１０を水平に接続することによって、より高い位置で液体位置エネルギー増加装置１’’によって蓄積される液体の量を増加させることができる。
【００４１】
図１４は、図１２及び図１３に示すガイド板の斜視図である。図１２、１３、１４に示すように、本実施形態では、装置の上部にある第２の受入トラフ２００は、トラフ本体２１０とガイド板２４０とを含む。トラフ本体２１０は液体を受け取るようになっており、前記トラフ本体２１０の側壁２１１は液体を切欠き２１２を有する。ガイド板２４０は、切欠き２１２に隣接しており、トラフ本体２１０の外側に位置している。トラフ本体２１０の内側の液体は、ガイド板２４０に沿って切欠き２１２を通って排出され、最も高い位置から放出されるようになっている。例えば、本実施形態のガイド板２４０は、その組み立て部２１５によってトラフ本体２１０に組み立てられているが、本発明はこれに限定されるものではない。
【００４２】
上述したように、本発明による液体位置エネルギー増加装置では、第１の受入トラフ内の液体は、液体吸収構造体の延在部を通って第２の受入トラフ内の本体部へと上方へ運ばれる。このように、本体部が液体を吸収した後、本体部は、磁性部品の磁気吸引力に抗して重力により移動するのに十分なほど重くなり、第２の受入トラフに衝突するので、これにより本体部内の液体が部分的に第２の受入トラフに放出される。次に、本体部から液体が放出されたことにより本体部が軽くなるので、本体部は磁気吸引力によって元に戻る。上述したように、外部資源によって提供される力またはエネルギーを使用せずに、液体吸収構造体の毛細管現象、磁気部材の磁力、本体部の重量及び本体部内の液体の重量によって生じた重力によって、第１の受入トラフ内の液体を相対的に高い位置に位置する第２の受入トラフに連続的に運搬することができ、これにより位置エネルギーを増加させることができる。液体の位置エネルギーを増加させる本発明の実施形態を使用することによって、そのような位置エネルギーは、水力発電などの他のエネルギー変換にさらに使用することができる。さらに、本発明の実施形態によって提供される液体位置エネルギー増加装置は、従来のエネルギー生成システムの様々な欠点を改善する。例えば、本発明の実施形態によって提供される液体位置エネルギー増加装置は、大気汚染を起こさず、核廃棄物を生成しないので、石炭火力および原子力発電施設に対して利点を有する。さらに、液体位置エネルギー増加装置は、上述のように外部から加えられる力またはエネルギー源を使用することなく位置エネルギーの増加を達成することができる。したがって、太陽または風などのエネルギー源を使用し、屋外で実施する必要がある再生可能エネルギー装置とは異なり、本発明の実施形態によって提供される液体位置エネルギー増加装置は屋内プラントで実施することができ、天候および地理的条件に耐えることができる。メンテナンスが必要な場合は、本発明の実施形態に従って液体吸収構造体またはインパクトプレートなどの対応する装置のみを交換すればよく、それによって便利な交換および保守作業が可能になる。
【００４３】
本開示の範囲または精神から逸脱することなく、開示された実施形態に対して様々な修正および変形をなし得ることが当業者には明らかであろう。上記を考慮して、本開示は、それらが以下の特許請求の範囲およびそれらの均等物の範囲内に含まれるという条件で、変更および変形を網羅することが意図されている。
【図１】
2019203495.tif 000003
【図２】
2019203495.tif 000004
【図３Ａ】
2019203495.tif 000005
【図３Ｂ】
2019203495.tif 000006
【図４】
2019203495.tif 000007
【図５】
2019203495.tif 000008
【図６】
2019203495.tif 000009
【図７】
2019203495.tif 000010
【図８】
2019203495.tif 000011
【図９】
2019203495.tif 000012
【図１０】
2019203495.tif 000013
【図１１】
2019203495.tif 000014
【図１２】
2019203495.tif 000015
【図１３】
2019203495.tif 000016
【図１４】
2019203495.tif 000017
【外国語明細書】
2019203495000001.pdf
2019203495000002.pdf
2019203495000003.pdf
2019203495000004.pdf